(57)【要約】【課題】この発明は、可動側電極の位置ずれを抑制することができる簡易な構成の真空バルブを提供するものである。【解決手段】絶縁容器と、端部に固定側電極が設けられた固定側電極棒と、端部に固定側電極と接離可能な可動側電極が設けられた可動側電極棒と、可動側電極棒と可動側端板の間に気密に接合されたベローズとを備えた真空バルブであって、絶縁容器の内面の1箇所又は複数箇所に設けたられた第１係合部と、ベローズの可動側電極側の端部に設けられた、ベローズカバーと、ベローズカバーと可動側電極との間に配置されて可動側電極棒に絶縁容器の内面を摺動可能に取り付けられ、第１係合部と係合する第２係合部を有するガイド板とを備えたものである。【選択図】図１
2017216198.tif 000002
【特許請求の範囲】
【請求項１】
両端部にそれぞれ接合された固定側端板及び可動側端板によって内部が閉塞された絶縁容器と、前記固定側端板に固定され、端部に固定側電極が設けられた固定側電極棒と、前記固定側電極棒と同軸上に配置され、端部に前記固定側電極と接離可能な可動側電極が設けられた可動側電極棒と、前記可動側電極棒と前記可動側端板の間に気密に接合されたベローズとを備えた真空バルブであって、前記絶縁容器の内面の1箇所又は複数箇所に設けたられた第１係合部と、前記ベローズの前記可動側電極側の端部に設けられたベローズカバーと、前記ベローズカバーと前記可動側電極との間に配置されて前記可動側電極棒に前記絶縁容器の内面を摺動可能に取り付けられ、前記第１係合部と係合する第２係合部を有するガイド板とを備えたことを特徴とする真空バルブ。
【請求項２】
前記ベローズカバーは前記絶縁容器の内面を摺動可能に設けられ、前記第１係合部と係合する第３係合部を有することを特徴とする請求項１に記載の真空バルブ。
【請求項３】
前記第１係合部は凸部であり、前記第２係合部および前記第３係合部は凹部であることを特徴とする請求項１または請求項２に記載の真空バルブ。
【請求項４】
前記第１係合部は多角形状面であり、前記第２係合部および前記第３係合部は多角形状体であることを特徴とする請求項１または請求項２に記載の真空バルブ。
【請求項５】
両端部にそれぞれ接合された固定側端板及び可動側端板によって内部が閉塞された絶縁容器と、前記固定側端板に固定され、端部に固定側電極が設けられた固定側電極棒と、前記固定側電極棒と同軸上に配置され、端部に前記固定側電極と接離可能な可動側電極が設けられた可動側電極棒と、前記可動側電極棒と前記可動側端板の間に気密に接合されたベローズとを備えた真空バルブであって、前記絶縁容器の内面に配置されたシールドと、前記シールドの1箇所又は複数箇所に設けたられた第４係合部と、前記ベローズの前記可動側電極側の端部に設けられたベローズカバーと、前記ベローズカバーと前記可動側電極との間に配置されて前記可動側電極棒に前記絶縁容器の内面を摺動可能に取り付けられ、前記第４係合部と係合する第５係合部を有するガイド板とを備えたことを特徴とする真空バルブ。
【請求項６】
前記ベローズカバーは前記シールドの内面を摺動可能に設けられ、前記第４係合部と係合する第６係合部を有することを特徴とする請求項５に記載の真空バルブ。
【請求項７】
前記第４係合部は凸部であり、前記第５係合部および前記第６係合部は凹部であることを特徴とする請求項５または請求項６に記載の真空バルブ。
【請求項８】
前記第４係合部は多角形状面であり、前記第５係合部および前記第６係合部は多角形状体であることを特徴とする請求項５または請求項６に記載の真空バルブ。
【請求項９】
両端部にそれぞれ接合された固定側端板及び可動側端板によって内部が閉塞された絶縁容器と、前記固定側端板に固定され、端部に固定側電極が設けられた固定側電極棒と、前記固定側電極棒と同軸上に配置され、端部に前記固定側電極と接離可能な可動側電極が設けられた可動側電極棒と、前記可動側電極棒と前記可動側端板の間に気密に接合されたベローズとを備えた真空バルブであって、前記固定側電極と前記可動側電極は風車形電極で構成され、前記固定側電極の裏面に設けられた固定側アーク拡散防止板と、前記可動側電極の裏面に設けられた可動側アーク拡散防止板と、前記絶縁容器の内面の1箇所又は複数箇所に設けたられた第１係合部と、前記ベローズの前記可動側電極側の端部に設けられたベローズカバーと、前記可動側アーク拡散防止板のガイド板の機能を持たせた外周に設け
られ、前記絶縁容器の内面を摺動可能に構成され、前記第１係合部と係合する第７係合部とを備えたことを特徴とする真空バルブ。
【請求項１０】
前記ベローズカバーは前記絶縁容器の内面を摺動可能に設けられ、前記第１係合部と係合する第３係合部を有することを特徴とする請求項９に記載の真空バルブ。
【請求項１１】
前記第１係合部は凸部であり、前記第２係合部および前記第７係合部は凹部であることを特徴とする請求項９または請求項１０に記載の真空バルブ。
【請求項１２】
前記第１係合部は多角形状面であり、前記第２係合部および前記第７係合部は多角形状体であることを特徴とする請求項９または請求項１０に記載の真空バルブ。
【請求項１３】
両端部にそれぞれ接合された固定側端板及び可動側端板によって内部が閉塞された絶縁容器と、前記固定側端板に固定され、端部に固定側電極が設けられた固定側電極棒と、前記固定側電極棒と同軸上に配置され、端部に前記固定側電極と接離可能な可動側電極が設けられた可動側電極棒と、前記可動側電極棒と前記可動側端板の間に気密に接合されたベローズとを備えた真空バルブであって、前記絶縁容器の内面の1箇所又は複数箇所に設けたられた第１係合部と、前記ベローズの前記可動側電極側の端部に前記絶縁容器の内面を摺動可能に設けられ、前記可動側電極棒の傾きを抑制できる厚さで構成され、前記第１係合部と係合する第８係合部を有するベローズカバーとを備えたことを特徴とする真空バルブ。
【請求項１４】
前記第１係合部は凸部であり、前記第８係合部は凹部であることを特徴とする請求項１３に記載の真空バルブ。
【請求項１５】
前記第１係合部は多角形状面であり、前記第８係合部は多角形状体であることを特徴とする請求項１３に記載の真空バルブ。
【請求項１６】
前記ベローズカバーは金属で構成され、前記絶縁容器の内周と摺動する外周部のみ絶縁体で構成されたことを特徴とする請求項１から請求項１５のいずれか１項に記載の真空バルブ。
【請求項１７】
前記ベローズカバーは絶縁体で構成されたことを特徴とする請求項１から請求項１５のいずれか１項に記載の真空バルブ。
【請求項１８】
前記ガイド板は金属で構成され、前記絶縁容器の内周と摺動する外周部のみ絶縁体で構成されたことを特徴とする請求項１から請求項１２のいずれか１項に記載の真空バルブ。
【請求項１９】
前記ガイド板は絶縁体で構成されたことを特徴とする請求項１から請求項１２のいずれか１項に記載の真空バルブ。
【発明の詳細な説明】
【技術分野】
【０００１】
この発明は、例えば真空遮断器などに搭載される真空バルブに関するものである。
【背景技術】
【０００２】
一般的な真空バルブの構造について説明する。絶縁容器の両端にそれぞれ固定側端板及び可動側端板が接合されており、内部が密閉された真空容器を形成している。この真空容器内に互いに対向する固定側電極及び接離可能な可動側電極が配置されており、固定側電極には固定側電極棒が、可動側電極には可動側電極棒がそれぞれ取り付けられ、固定側電極棒は固定側端板に接合される。
【０００３】
ステンレス等の薄い金属で蛇腹状に形成されたベローズの端部が可動側端板に接合され、もう一方のベローズ端部は可動側電極棒と接合されており気密を保って開閉を可能にする。
【０００４】
可動側端板には可動側電極棒の軸方向の動作を案内するガイドを固定するためのガイド取付板が接合され、ガイドはネジ止めによってガイド取付板に固定されている。ガイド内径及び可動側電極棒のガイドとの摺動部は六角形等の多角形形状となっており、可動側電極棒の傾き及び回転を抑制することで、ベローズが捻じれた状態で伸縮されるのを防ぎベローズの機械寿命性能を確保する。
【先行技術文献】
【特許文献】
【０００５】
【特許文献１】特開平５−１０１７５４号公報
【特許文献２】特開２０１５−２１０８５０号公報
【発明の概要】
【発明が解決しようとする課題】
【０００６】
上述した従来の真空バルブは、真空バルブの接触抵抗の低減及び安定した遮断性能を確保するために、真空バルブの固定側電極と可動側電極の位置ずれを抑制する必要がある。
固定側電極と可動側電極の位置ずれが発生した真空バルブでは、接触抵抗の増大及び固定側電極と可動側電極間の電界値上昇による遮断性能の低下が起こる。固定側電極と可動側電極の位置ずれを抑制するために、一般に真空バルブの可動側端板に接合されたガイド取付板に合成樹脂で成形されたガイドを固定し、上記ガイドの孔内を可動側電極棒が摺動することで可動側電極棒の傾きを抑制する構造となっている。
【０００７】
しかし、ガイドから可動側電極までの距離が長いため、僅かな可動側電極棒の傾きでも可動側電極の軸心ずれは大きくなり、固定側電極と可動側電極の位置ずれを抑制できない問題がある。
【０００８】
また、ガイドを固定するためには、ガイド取付板を可動側端板に接合する必要があり、ガイドはそのガイド取付板にネジ止めなどで固定するため、部品点数及び作業工程が増大する問題がある。
【０００９】
この発明は、上記のような課題を解決するためになされたものであり、その目的は、固定側電極と可動側電極の位置ずれを抑制でき、簡易な構成の真空バルブを提供するものである。
【課題を解決するための手段】
【００１０】
この発明に係わる真空バルブは、両端部にそれぞれ接合された固定側端板及び可動側端板によって内部が閉塞された絶縁容器と、前記固定側端板に固定され、端部に固定側電極が設けられた固定側電極棒と、前記固定側電極棒と同軸上に配置され、端部に前記固定側電極と接離可能な可動側電極が設けられた可動側電極棒と、前記可動側電極棒と前記可動側端板の間に気密に接合されたベローズとを備えた真空バルブであって、前記絶縁容器の内面の１箇所又は複数箇所に設けたられた第１係合部と、前記ベローズの前記可動側電極側の端部に設けられたベローズカバーと、前記ベローズカバーと前記可動側電極との間に配置されて前記可動側電極棒に前記絶縁容器の内面を摺動可能に取り付けられ、前記第１係合部と係合する第２係合部を有するガイド板とを備えたものである。
【００１１】
また、この発明に係わる真空バルブは、両端部にそれぞれ接合された固定側端板及び可動側端板によって内部が閉塞された絶縁容器と、前記固定側端板に固定され、端部に固定側電極が設けられた固定側電極棒と、前記固定側電極棒と同軸上に配置され、端部に前記固定側電極と接離可能な可動側電極が設けられた可動側電極棒と、前記可動側電極棒と前記可動側端板の間に気密に接合されたベローズとを備えた真空バルブであって、前記絶縁容器の内面に配置されたシールドと、前記シールドの１箇所又は複数箇所に設けたられた第４係合部と、前記ベローズの前記可動側電極側の端部に設けられたベローズカバーと、前記ベローズカバーと前記可動側電極との間に配置されて前記可動側電極棒に前記シールドの内面を摺動可能に取り付けられ、前記第４係合部と係合する第５係合部を有するガイド板とを備えたものである。
【００１２】
また、この発明に係わる真空バルブは、両端部にそれぞれ接合された固定側端板及び可動側端板によって内部が閉塞された絶縁容器と、前記固定側端板に固定され、端部に固定側電極が設けられた固定側電極棒と、前記固定側電極棒と同軸上に配置され、端部に前記固定側電極と接離可能な可動側電極が設けられた可動側電極棒と、前記可動側電極棒と前記可動側端板の間に気密に接合されたベローズとを備えた真空バルブであって、前記固定側電極と前記可動側電極は風車形電極で構成され、前記固定側電極の裏面に設けられた固定側アーク拡散防止板と、前記可動側電極の裏面に設けられた可動側アーク拡散防止板と、前記絶縁容器の内面の１箇所又は複数箇所に設けたられた第１係合部と、前記ベローズの前記可動側電極側の端部に設けられたベローズカバーと、前記可動側アーク拡散防止板のガイド板の機能を持たせた外周に設けられ、前記絶縁容器の内面を摺動可能に構成され、前記第１係合部と係合する第７係合部とを備えたものである。
【００１３】
また、この発明に係わる真空バルブは、両端部にそれぞれ接合された固定側端板及び可動側端板によって内部が閉塞された絶縁容器と、前記固定側端板に固定され、端部に固定側電極が設けられた固定側電極棒と、前記固定側電極棒と同軸上に配置され、端部に前記固定側電極と接離可能な可動側電極が設けられた可動側電極棒と、前記可動側電極棒と前記可動側端板の間に気密に接合されたベローズとを備えた真空バルブであって、前記絶縁容器の内面の１箇所又は複数箇所に設けたられた第１係合部と、前記ベローズの前記可動側電極側の端部に前記絶縁容器の内面を摺動可能に設けられ、前記可動側電極棒の傾きを抑制できる厚さで構成され、前記第１係合部と係合する第８係合部を有するベローズカバーとを備えたものである。
【発明の効果】
【００１４】
この発明に係わる真空バルブによれば、ガイド板及びベローズカバーによって可動側電極から近い箇所で可動側電極棒を摺動可能に支持することができるので、可動側電極の位置ずれを抑制することができ、簡易な構成の真空バルブを得ることができる。
【図面の簡単な説明】
【００１５】
【図１】この発明の実施の形態１に係わる真空バルブを示す断面図である。
【図２】この発明の実施の形態１に係わる真空バルブを示す図１のII−II線における断面図である。
【図３】この発明の実施の形態２に係わる真空バルブを示す断面図である。
【図４】この発明の実施の形態２に係わる真空バルブを示す図３のIV−IV線における断面図である。
【図５】この発明の実施の形態３に係わる真空バルブを示す断面図である。
【図６】この発明の実施の形態３に係わる真空バルブを示す図５のVI−VI線における断面図である。
【図７】この発明の実施の形態４に係わる真空バルブを示す断面図である。
【図８】この発明の実施の形態４に係わる真空バルブを示す図７のVIII−VIII線における断面図である。
【図９】この発明の実施の形態５に係わる真空バルブを示す断面図である。
【図１０】この発明の実施の形態５に係わる真空バルブを示す図９のX−X線における断面図である。
【発明を実施するための形態】
【００１６】
実施の形態１．
以下、この発明の実施の形態１を図１および図２に基づいて説明するが、各図において、同一、または相当部材、部位については同一符号を付して説明する。図１はこの発明の実施の形態１に係わる真空バルブを示す断面図である。図２はこの発明の実施の形態１に係わる真空バルブを示す図１のII−II線における断面図である。
【００１７】
図１および図２において、１は内面の一箇所又は複数箇所に凸部１ａを設けたアルミナセラミック等から構成される円筒状の絶縁容器である。２は固定側端板、３は可動側端板であり、固定側端板２及び可動側端板３は、それぞれ絶縁容器１の両端の同軸上に接合されている。
【００１８】
固定側端板２には固定側電極棒４が、可動側端板３にはベローズ６を介して可動側電極棒５が接合され、固定側電極棒４と可動側電極棒５とは同軸上に配置されている。７は絶縁容器１内の固定側電極棒４端部に接合された固定側電極、８は絶縁容器１内の可動側電極棒５端部に接合された可動側電極で、固定側電極７と可動側電極８とは互いに対向して配置され、可動側電極８は固定側電極７に接離可能となっている。
【００１９】
ベローズ６の可動側電極８側の端部には、ベローズカバー９が可動側電極棒５に接合されている。ベローズカバー９は電流遮断時に固定側電極７及び可動側電極８から発生する金属蒸気によってベローズ６の表面が汚損されることを防いでいる。
【００２０】
ベローズカバー９と可動側電極８の間にガイド板１０が可動側電極棒５に接合され、ベローズカバー９及びガイド板１０の外周と絶縁容器１の内面の間には摺動のための隙間が設けられている。
【００２１】
ベローズカバー９及びガイド板１０の外周面が絶縁容器１の内面と摺動することにより可動側電極棒５の傾きを抑制し、絶縁容器１に設けられた例えば凸部からなる第１係合部１ａと、ベローズカバー９及びガイド板１０にそれぞれ設けられた例えば凹部からなる第３係合部９ａ、第２係合部１０ａの係合により可動側電極棒５が円周方向に捻じれるのを防止する。
【００２２】
この実施の形態１における真空バルブにおいて、固定側電極７と可動側電極８が接離することにより、電流の遮断及び投入を行う。ガイド機能を備えたベローズカバー９及びガ
イド板１０は固定側電極７と可動側電極８の軸心を合わせており、大電流通電時に可動側電極棒５に発生する電磁力に耐えることができ、可動側電極棒５を滑らかに摺動させるという機能がある。
【００２３】
上記機能を満足させるため、可動側電極８の接離時には、絶縁容器１の内面とベローズカバー９及びガイド板１０の外周が摺動することにより可動側電極８の位置ずれを防いでいる。絶縁容器１の内面に設けられた凸部からなる第１係合部１ａにベローズカバー９及びガイド板１０にそれぞれ設けられた凹部からなる第３係合部９ａ、第２係合部１０ａが係合することにより、可動側電極棒５が円周方向に捻じれるのを防止している。尚、ベローズカバー９及びガイド板１０は絶縁体で構成され、絶縁容器１と滑らかに摺動する構造としている。
【００２４】
以上のように、この実施の形態１によれば、可動側電極棒５を案内する機能を備えたベローズカバー９及びガイド板１０と絶縁容器１により、可動側電極８に近い場所で可動側電極棒５を摺動可能に支持することができるので、固定側電極７と可動側電極８の軸心を正確に合わすことができる。固定側電極７と可動側電極８の位置ずれを抑制することにより接触抵抗の低減及び安定した遮断性能を確保することができる。
【００２５】
また、上述した従来の真空バルブのように、可動側端板３に接合されるガイド取付板及びガイド取付板にネジ止め等で取り付けられるガイドが不要となるため、簡易な構成で部品点数及び部品組立工程を削減することができ、安価に真空バルブを製作することができる。
【００２６】
さらに、可動側電極棒５の断面を円形にすることができ、同外径の多角断面の可動側電極棒と比較すると断面積が広く、通電容量の増大が可能となる。また、ベローズカバー９及びガイド板１０が金属製の場合、絶縁容器１の内面と摺動する外周部のみ絶縁体で構成することで同様の効果を得ることができる。
【００２７】
実施の形態２．
この発明の実施の形態２を図３および図４に基づいて説明するが、各図において、同一、または相当部材、部位については同一符号を付して説明する。図３はこの発明の実施の形態２に係わる真空バルブを示す断面図である。図４はこの発明の実施の形態２に係わる真空バルブを示す図３のIV−IV線における断面図である。
【００２８】
この実施の形態２における真空バルブにおいて、絶縁容器１の内面は例えば六角形状などの多角形状面からなる第１係合部１ｂとし、ベローズカバー１１及びガイド板１２の外周は絶縁容器１の内面の多角形状面からなる第１係合部１ｂと合わせて例えば六角形状などの多角形状体からなる第３係合部１１ａ、第２係合部１２ａとしている。
【００２９】
この実施の形態２における真空バルブにおいて、絶縁容器１の内面を例えば六角形状などの多角形状面からなる第１係合部１ｂとし、ベローズカバー１１及びガイド板１２の外周を例えば六角形状などの多角形状体からなる第３係合部１１ａ、第２係合部１２ａとすることによって、絶縁容器１の内面の多角状面からなる第１係合部１ｂをベローズカバー１１及びガイド板１２の多角状体からなる第３係合部１１ａ、第２係合部１２ａが摺動することにより、上述した実施の形態１と同様に可動側電極棒５の軸心ずれを防ぐとともに可動側電極棒５が円周方向に捻じれるのを抑制できる。
【００３０】
以上のように、この実施の形態２によれば、可動側電極棒５を案内する機能を備えたベローズカバー１１及びガイド板１２と絶縁容器１により、可動側電極８に近い場所で可動側電極棒５を摺動可能に支持することができるので、固定側電極７と可動側電極８の軸心を正確に合わすことができる。固定側電極７と可動側電極８の位置ずれを抑制することにより接触抵抗の低減及び安定した遮断性能を確保することができる。
【００３１】
また、上述した従来の真空バルブのように、可動側端板３に接合されるガイド取付板及びガイド取付板にネジ止め等で取り付けられるガイドが不要となるため、簡易な構成で部品点数及び部品組立工程を削減することができ、安価に真空バルブを製作することが可能である。
【００３２】
さらに、可動側電極棒５の断面を円形にすることができ、同外径の多角断面の可動側電極棒と比較すると断面積が広く、通電容量の増大が可能となる。なお、この実施の形態２では絶縁容器１の内面は六角形状面とし、ベローズカバー１１及びガイド板１２の外周は六角形状体とした場合について述べたが、これに限定されるものではなく、絶縁容器１の内面を六角形状以外の多角形状面とし、ベローズカバー１１及びガイド板１２の外周を六角形状以外の多角形状体としてもよく、同様の効果を得ることができる。
【００３３】
実施の形態３．
この発明の実施の形態３を図５および図６に基づいて説明するが、各図において、同一、または相当部材、部位については同一符号を付して説明する。図５はこの発明の実施の形態３に係わる真空バルブを示す断面図である。図６はこの発明の実施の形態３に係わる真空バルブを示す図５のVI−VI線における断面図である。
【００３４】
この実施の形態３における真空バルブにおいて、１３は固定側電極７及び可動側電極８を囲むように配置され、絶縁容器１に固定されたシールドであり、電流遮断時に絶縁容器１の内面が固定側電極７及び可動側電極８から発生する金属蒸気によって汚損されることを防止している。
【００３５】
また、シールド１３の内面は一箇所又は複数箇所に例えば凸部からなる第４係合部１３ａを設けた構造とし、シールド１３の例えば凸部からなる第４係合部１３ａとベローズカバー１４及びガイド板１５にそれぞれ設けられた例えば凹部からなる第６係合部１４ａ、第５係合部１５ａの係合により可動側電極棒５が円周方向に捻じれるのを防止する。そして、ベローズカバー１４及びガイド板１５の外周はシールド１３の内面と摺動するように隙間が設けられており、シールド１３の内面形状より僅かに小さい形状となる。
【００３６】
この実施の形態３のように、絶縁容器１の内面にシールド１３が配置された真空バルブにおいても、シールド１３の内面とベローズカバー１４及びガイド板１５の外周が摺動することで、上述した実施の形態１と同様に可動側電極棒５の軸心ずれを防ぐと共に可動側電極棒５が円周方向に捻じれるのを抑制できる。
【００３７】
以上のように、この実施の形態３によれば、可動側電極棒５を案内する機能を備えたベローズカバー１４及びガイド板１５とシールド１３により、可動側電極８に近い場所で可動側電極棒５を摺動可能に支持することができるので、固定側電極７と可動側電極８の軸心を正確に合わすことができる。固定側電極７と可動側電極８の位置ずれを抑制することにより接触抵抗の低減及び安定した遮断性能を確保することができる。
【００３８】
また、上述した従来の真空バルブのように、可動側端板３に接合されるガイド取付板及びガイド取付板にネジ止め等で取り付けられるガイドが不要となるため、簡易な構成で部品点数及び部品組立工程を削減することができ、安価に真空バルブを製作することが可能である。
【００３９】
さらに、可動側電極棒５の断面を円形にすることができ、同外径の多角断面の可動側電極棒と比較すると断面積が広く、通電容量の増大が可能となる。なお、この実施の形態３ではシールド１３の内面及びベローズカバー１４及びガイド板１５の外周を凸凹構造したが、上述した実施の形態２のように六角形状等の多角形状構造であっても同様の効果を得ることができる。
【００４０】
実施の形態４．
この発明の実施の形態４を図７および図８に基づいて説明するが、各図において、同一、または相当部材、部位については同一符号を付して説明する。図７はこの発明の実施の形態４に係わる真空バルブを示す断面図である。図８はこの発明の実施の形態４に係わる真空バルブを示す図７のVIII−VIII線における断面図である。
【００４１】
この実施の形態４における真空バルブにおいて、固定側電極７及び可動側電極８は風車形の電極構造となっている。風車形電極は、電流遮断時に固定側電極７と可動側電極８間に発生する電磁力により固定側電極７と可動側電極８間に発生したアークを周回させてアークを消弧するものである。
【００４２】
電流遮断時には、固定側電極７及び可動側電極８から金属蒸気が発生し、上記金属蒸気が固定側電極７及び可動側電極８に設けられたスリット７ａ、８ａから固定側端板２の方向及び可動側端板３の方向へそれぞれ拡散するため、固定側電極７及び可動側電極８に隣接するように固定側アーク拡散防止板１６及び可動側アーク拡散防止板１７が接合される。
【００４３】
可動側アーク拡散防止板１７の外側周縁部をガイド板の機能を持たせた構成とし、可動側アーク拡散防止板１７及びベローズカバー９の外周は上述した実施の形態１と同様に絶縁容器１の内面と摺動するための隙間が設けられており、絶縁容器１の内面より僅かに小さい形状となる。
【００４４】
この実施の形態４における真空バルブにおいて、可動側アーク拡散防止板１７の外側周縁部をガイド板の機能を持たせた構成とすることにより、絶縁容器１の内面に設けられた凸部からなる第１係合部１ａにベローズカバー９及びガイド板１８にそれぞれ設けられた例えば凹部からなる第３係合部９ａ、第７係合部１８ａが係合することにより、可動側電極棒５が円周方向に捻じれるのを防止している。上述した実施の形態１と同様に可動側電極棒５の軸心ずれを防ぐと共に可動側電極棒５の円周方向への捻じれを抑制できる。
【００４５】
以上のように、この実施の形態４によれば、可動側電極棒５を案内する機能を備えたベローズカバー９及び可動側アーク拡散防止板１７と絶縁容器１により、可動側電極８により近い場所で可動側電極棒５を支持することが可能となり、固定側電極７と可動側電極８の軸心を正確に合わすことができる。固定側電極７と可動側電極８の位置ずれを抑制することで接触抵抗の低減及び安定した遮断性能を確保することができる。
【００４６】
また、上述した従来の真空バルブのように、可動側端板３に接合されるガイド取付板及びガイド取付板にネジ止め等で取り付けられるガイドが不要となるため、簡易な構成で部品点数及び部品組立工程を削減することができ、より安価に真空バルブを製作することが可能である。
【００４７】
さらに、可動側電極棒５の断面を円形にすることができ、同外径の多角断面の可動側電極棒と比較すると断面積が広く、通電容量の増大が可能となる。なお、この実施の形態４では絶縁容器１の内面及びベローズカバー９及び可動側アーク拡散防止板１７の外周を凸凹構造としたが、上述した実施の形態２のように六角形状等の多角形状構造であっても同様の効果を得ることができる。
【００４８】
また、上述した実施の形態３と同様に、絶縁容器１に固定されたシールド１３を備えた真空バルブの場合、シールド１３とベローズカバー９及び可動側アーク拡散防止板１７が摺動する構造の場合でも同様の効果を得ることができる。
【００４９】
実施の形態５．
この発明の実施の形態５を図９および図１０に基づいて説明するが、各図において、同一、または相当部材、部位については同一符号を付して説明する。図９はこの発明の実施の形態５に係わる真空バルブを示す断面図である。図１０はこの発明の実施の形態５に係わる真空バルブを示す図９のX−X線における断面図である。
【００５０】
この実施の形態５における真空バルブにおいて、可動側電極棒５の傾きを抑制できる厚さを有したベローズカバー１９を設け、ベローズカバー１９外周は絶縁容器１の内面と摺動するための隙間が設けられており、絶縁容器１の内面より僅かに小さい形状とする。
【００５１】
この実施の形態５において、ベローズカバー１９が絶縁容器１の内面と摺動することで、可動側電極棒５の軸心ずれを防ぐと共に可動側電極棒５の円周方向への捻じれを抑制できる。
【００５２】
この実施の形態５において、絶縁容器１の内面に設けられた凸部からなる第１係合部１ａにベローズカバー１９に設けられた例えば凹部からなる第８係合部１９ａが係合することにより、可動側電極棒５が円周方向に捻じれるのを防止している。上述した実施の形態１と同様に可動側電極棒５の軸心ずれを防ぐと共に可動側電極棒５の円周方向への捻じれを抑制できる。
【００５３】
以上のように、この実施の形態５によれば、可動側電極棒５を案内する機能を備えた肉厚が厚いベローズカバー１９と絶縁容器１により、可動側電極８に近い場所で可動側電極棒５を摺動可能に支持することができるので、固定側電極７と可動側電極８の軸心を正確に合わすことができる。固定側電極７と可動側電極８の位置ずれを抑制することで接触抵抗の低減及び安定した遮断性能を確保することができる。
【００５４】
また、上述した従来の真空バルブのように、可動側端板３に接合されるガイド取付板及びガイド取付板にネジ止め等で取り付けられるガイド並びに上述した各実施の形態におけるガイド板が不要となるため、簡易な構成で部品点数及び部品組立工程を削減することができ、より安価に真空バルブを製作することが可能である。
【００５５】
さらに、可動側電極棒５の断面を円形にすることができ、同外径の多角断面の可動側電極棒と比較すると断面積が広く、通電容量の増大が可能となる。なお、この実施の形態５では絶縁容器１の内面及びベローズカバー１９の外周を凸凹構造としたが、上述した実施の形態２のように六角形状等の多角形状であっても同様の効果を得ることができる。
【００５６】
また、上述した実施の形態３と同様に、絶縁容器１に固定されたシールド１３を備えた真空バルブの場合、シールド１３とベローズカバー１９が摺動する構造としても同様の効果を得ることができる。
【００５７】
なお、この発明は、その発明の範囲内において、各実施の形態を自由に組み合わせたり、各実施の形態を適宜、変形、省略することが可能である。
【産業上の利用可能性】
【００５８】
この発明は、可動側電極の位置ずれを抑制することができる簡易な構成の真空バルブの実現に好適である。
【符号の説明】
【００５９】
１  絶縁容器、１ａ 凸部、１ｂ  多角形状面、２  固定側端板、３  可動側端板、４
固定側電極棒、５可動側電極棒、６  ベローズ、７  固定側電極、７ａ  スリット、８
可動側電極、８ａスリット、９  ベローズカバー、９ａ      凹部、１０  ガイド板、１０ａ       凹部、１１  ベローズカバー、１１ａ 凹部、１２  ガイド板、１２ａ    
凹部、１３  シールド、１３ａ       凸部、１４  ベローズカバー、１４ａ 凹部、１５  ガイド板、１５ａ       凹部、１６  固定側アーク拡散防止板、１７  可動側アーク拡散防止板、１７ａ  凹部、１９  ベローズカバー、１９ａ  凹部
【図１】
2017216198.tif 000003
【図２】
2017216198.tif 000004
【図３】
2017216198.tif 000005
【図４】
2017216198.tif 000006
【図５】
2017216198.tif 000007
【図６】
2017216198.tif 000008
【図７】
2017216198.tif 000009
【図８】
2017216198.tif 000010
【図９】
2017216198.tif 000011
【図１０】
2017216198.tif 000012